(57)【特許請求の範囲】
【請求項１】
天板支持部によって被検者を寝載する天板を移動可能に設けた画像診断装置用の寝台において、前記画像診断装置のガントリーに設置された投光器の光線による位置決め点と前記ガントリー内の計測空間の中心との距離と同じ間隔で配置された２つのマーカを有したマーカスケールと、前記マーカスケールを前記天板の移動方向にスライドさせるスライド手段とを前記天板支持部に備えていることを特徴とする寝台。
【請求項２】
開口内に被検者を撮影する撮影領域を有すガントリーと、前記ガントリーの開口の被検者挿入方向の端部に取り付けられ、前記ガントリーの外部にて被検者の撮影部位を指し示す投光器と、天板支持部によって被検者を寝載する天板を移動可能に設けた画像診断装置用の寝台において、前記投光器の光線による位置決め点と前記ガントリー内の計測空間の中心との距離と同じ間隔で配置された２つのマーカを有したマーカスケールと、前記マーカスケールを前記天板の移動方向にスライドさせるスライド手段とを前記天板支持部に備えていることを特徴とする医療用画像診断装置。
【発明の詳細な説明】
【０００１】
【発明の属する技術分野】
本発明は、医療用の画像診断装置の寝台に係り、特に撮影領域を操作者が確認しにくい診断装置用に好適な寝台に関するものである。
【０００２】
【従来の技術】
医療用画像診断装置には、画像計測部と寝台とが別個に構成される装置が少なくない。例えば、循環器用Ｘ線装置，ガンマカメラ装置，Ｘ線ＣＴ装置，ＭＲＩ装置等である。これらの装置のうち、画像計測部をガントリーと称している診断装置では、被検体の撮影中心への位置決めを目視で行うことが困難な物が多い。その理由は、ガントリーの開口部内へ被検体を位置させると、被検体のすぐ上部を画像計測部が覆ってしまうためである。このため、Ｘ線ＣＴ装置やＭＲＩ装置では、被検者の位置決めのために、ガントリーの寝台側の端部に投光器を設け、被検者の撮影部位を一旦その投光器の所へ移動して位置合わせを行い、その後、寝台の天板を電動駆動機構により投光器とガントリー内の撮影中心との間の一定距離だけ移動して被検者の撮影部位を装置の撮影中心へ位置合わせするという２ステップの位置合わせ方法を採用している。
【０００３】
そして、上記ガントリー構造を有する装置へ組合せる寝台には、被検者の体調の変化に対応するため、前記電動駆動機構の他に天板を手動でガントリー内から退避させる機構が設けられている。
【０００４】
【発明が解決しようとする課題】
画像診断装置用の寝台としては、機能的には、被検者を迅速に、かつ正確に装置の撮影位置へ位置決めできることが要求される。そして、前記機能を有した寝台は安価に提供されることが望まれる。
【０００５】
しかし、上記従来の寝台は、天板を電動により移動するため操作者の意のままに動かすことができないだけでなく、投光器とガントリー内の撮影中心との間の一定距離だけ移動するための天板移動量検出機構を付加しているため、及び手動退避機構を備えているために、必然的に高価なものとなっている。
さらに、駆動機構の経年変化が生ずると位置決めが不正確になるので、何年かに一度のような頻度で駆動機構のチェーンや歯車のガタをなくすような調整をしなければならない。
【０００６】
本発明は上記に鑑みてなされたもので、操作者が被検者を意のままにガントリー内の撮影位置へ移動することができ、かつ安価な寝台を提供することを第一の目的とする。
【０００７】
本発明の他の目的は、操作性に優れた医療用画像診断装置を提供することを目的とする。
【０００８】
【課題を解決するための手段】
本発明の第一の目的は、天板支持部によって被検者を寝載する天板を移動可能に設けた画像診断装置用の寝台において、前記画像診断装置のガントリーに設置された投光器の光線による位置決め点と前記ガントリー内の計測空間の中心との距離と同じ間隔で配置された２つのマーカを有したマーカスケールと、前記マーカスケールを前記天板の移動方向にスライドさせるスライド手段とを前記天板支持部に備えていることによって達成される。
【０００９】
また、本発明のその他の目的は、開口内に被検者を撮影する撮影領域を有すガントリーと、前記ガントリーの開口の被検者挿入方向の端部に取り付けられ、前記ガントリーの外部にて被検者の撮影部位を指し示す投光器と、天板支持部によって被検者を寝載する天板を移動可能に設けた画像診断装置用の寝台において、前記投光器の光線による位置決め点と前記ガントリー内の計測空間の中心との距離と同じ間隔で配置された２つのマーカを有したマーカスケールと、前記マーカスケールを前記天板の移動方向にスライドさせるスライド手段とを前記天板支持部に備えていることによって達成される。
【００１０】
【発明の実施の形態】
以下、本発明の一実施の形態を図面を用いて説明する。
図１は本発明を実施した医用画像診断装置としてのＭＲＩ装置の外観を示す斜視図である。図１において、１０は寝台であり、２０はＭＲＩ装置のガントリー，３０は被検者の撮影部位を位置決めする投光器である。ＭＲＩ装置はシステム構成としては、ガントリー２０，寝台１０の他に、操作卓，画像処理装置，電源，及び送受信用コイルを備えるが、本発明との関連がないので、それらは図示を省略している。
【００１１】
寝台１０は検査室の床面に設置される支持台部１１と，この支持台部１１の上方に設けられた天板部１２とで構成されている。支持台部１１は寝台１０を床面に設置する枠部材と支持台部１１を上下方向に移動する移動機構を有しているが、これらは公知の技術を使用できるので図示を省略してある。天板部１２は支持台部１１に固定され、天板１３を支持するとともに、天板１３の長手方向及びそれに直交する方向への移動のガイドとなる天板支持部１４を有している。
【００１２】
ＭＲＩ装置のガントリー２０は、本実施例では上下方向に静磁場が形成される垂直磁場方式のもので、前記寝台１０の天板１３の長手方向の延長上に計測空間となる均一磁場領域を発生するために、上下に分割された一対の磁石が設けられ、その一対の磁石を２本の柱で支持している。
【００１３】
ガントリー２０の上部磁石側の外周には投光器３０が設けられている。この投光器３０は図１に示すように一方が天板の長手方向に沿った、他の一方がそれに直交する方向の十字光線を天板１３へ向けて照射するものである。
【００１４】
以上は従来のＭＲＩ装置の構成として公知のものである。
次に、本発明の特徴点を説明する。図１において、天板支持部１４には天板１３を一定距離だけ移動したことを操作者が認識できるようにする目盛機構４０が設けられている。この目盛機構４０には、二つの三角形のマーカ４１，４２が設けられている。これらのマーカ４１と４２の間隔は固定されており、その距離は図１の平面視で投光器３０の十字光線のクロスポイント(位置決め点)３１とＭＲＩ装置のガントリー２０の計測空間の中心(撮影可能領域の中心)間距離となっている。したがって、天板１３を二つのマーカ間距離だけガントリー側へ移動すると、投光器３０のクロスポイントにあった点がガントリー２０の計測空間の中心へ移動していることとなる。
【００１５】
図２により目盛機構４０の詳細な説明をする。図２において、４３は天板１３に固定されたスケールで、表面にミリメートル単位，センチメートル単位の目盛が刻まれている。４４は天板支持部１４に前記スケール４３と平行に移動可能に取り付けられたマーカスケールで、このマーカスケール４４には前記二つのマーカ４１，４２が前述のように投光器３０の十字光線３１のクロスポイントとガントリー２０の計測空間の中心間の距離を隔てて設けられているとともに、移動時に操作者の指に掛かるようなツマミ４７が取り付けられている。このマーカスケール４４は操作者が手動でスライドさせることができるようにガイド４５，４６で支持されている。
【００１６】
次に、本発明の目盛機構４０の使い方を説明する。先ず、操作者は寝台１０の天板に横たわった被検者の撮影部位を決める。撮影部位を決めた後、天板１３をガントリー２０の方向へ移動して、その撮影部位へ投光器３０の十字光線３１のクロスポイントへ位置合わせする。この位置合わせが終わったところで、操作者はマーカスケール４４を移動してマーカスケール４４のマーカ４１の三角形の先端を天板１３上の基準となる位置，例えば天板１３の端面またはスケール４３の基準にできる目盛へ合わせる。次に、操作者は天板１３をガントリー方向へ押して移動し、スケール４３の基準目盛をスケールマーカ４４のマーカ４２の三角形の先端へ一致させる。以上の操作で被検者の撮影部位がガントリー２０の計測空間の中心に位置合わせされる。この後、操作者はＭＲＩ装置による撮像を開始する。
【００１７】
本発明は、被検者の撮影部位へ投光器３０の十字光線３１のクロスポイントを合わせた時に、マーカスケール４４を天板上の目印となる位置へ合わせることができれば良いので、スケール４３は本質的に必要となるものではないが、天板位置の微調整をする場合とか、この寝台をＭＲＩ装置以外のＸ線ＣＴ装置に使用したときの天板１３のステップ送りを手動でするような場合に有効となるものである。
【００１８】
【発明の効果】
以上説明したように本発明によれば、位置合わせは全て操作者が手動で行うので、操作者は自分の意のままに位置合わせができる。また、電動式の天板の移動機構を必要としないので、安価な寝台となる。
【図面の簡単な説明】
【図１】本発明を実施した医用画像診断装置の外観を示す図。
【図２】本発明の寝台の目盛機構の構成を示す図。
【符号の説明】
１０  寝台
１３  天板
１４  天板支持部
２０  ＭＲＩ装置のガントリー
３０  投光器
４０  目盛機構
４１，４２  マーカ
４３  スケール
４４  マーカスケール
【図１】
0004034874.tif 000002
【図２】
0004034874.tif 000003